(57)【要約】      （修正有）【課題】非接触ＩＣチップを搭載した携帯電話などの携帯通信端末紛失時の安全性と、利便性向上を図ることができるリモートチャージシステム、そのシステムに用いる充電台、および、そのシステムに用いる携帯通信端末を提供する。【解決手段】リモートチャージシステムに於いては、携帯電話１は、充電台２による充電池１７の充電時に、充電台２と通信を行う携帯電話通信部１５と、充電台２から受信した識別情報に基づいて電子バリューのチャージ可、不可を判定するＩＣチップから、チャージ可の通知を受け付けた場合、リモートチャージ用サーバ３と通信を行い、非接触ＩＣチップ４の電子バリューをチャージする携帯電話制御１６と、を備えるものである。【選択図】図１
2006262107.tif 000002
【特許請求の範囲】
【請求項１】
ＩＣチップを搭載した携帯通信端末と、前記携帯通信端末に備わる充電池を充電する充電装置と、前記携帯通信端末と通信可能なリモートチャージ用サーバと、から構成される前記ＩＣチップの電子バリューをチャージするリモートチャージシステムであって、
前記充電装置は、
当該充電装置による前記携帯通信端末の充電池の充電時に、前記携帯通信端末と通信を行う充電装置通信手段と、
前記ＩＣチップへの電子バリューのチャージを許可するための識別情報を記憶する充電装置記憶手段と、を備え、
前記充電装置通信手段が、前記充電装置記憶手段に記憶した識別情報を前記携帯通信端末に送信し、
前記携帯通信端末は、
前記充電装置による当該携帯通信端末の充電池の充電時に、前記充電装置と通信を行う携帯通信端末通信手段と、
前記充電装置から受信した識別情報に基づいて電子バリューのチャージ可、不可を判定する前記ＩＣチップから、電子バリューのチャージ可、不可の通知を受け付ける通知受付手段と、
前記通知受付手段により電子バリューのチャージ可の通知を受け付けた場合、前記リモートチャージ用サーバと通信を行い、前記ＩＣチップへ電子バリューをチャージするよう制御する携帯通信端末制御手段と、
を備えるリモートチャージシステム。
【請求項２】
ＩＣチップの電子バリューをチャージ可能な携帯通信端末に備わる充電池を、充電する充電装置であって、
当該充電装置による前記携帯通信端末の充電池の充電時に、前記携帯通信端末と通信を行う充電装置通信手段と、
前記ＩＣチップへの電子バリューのチャージを許可するための識別情報を記憶する充電装置記憶手段と、を備え、
前記充電装置通信手段は、前記充電装置記憶手段に記憶した識別情報を前記携帯通信端末に送信する充電装置。
【請求項３】
請求項２に記載の充電装置であって、
前記ＩＣチップへの電子バリューのチャージを許可された携帯通信端末を、識別する充電装置識別手段を備え、
前記充電装置通信手段は、チャージを許可された携帯通信端末を前記充電装置識別手段が識別した場合、前記充電装置記憶手段に記憶した識別情報を前記携帯通信端末に送信する充電装置。
【請求項４】
請求項２または３記載の充電装置であって、
前記携帯通信端末により前記ＩＣチップの電子バリューをチャージするか否かを判定する充電装置判定手段を備え、
前記充電装置通信手段は、前記ＩＣチップの利用状況を前記携帯通信端末から受信し、
前記充電装置判定手段は、前記充電装置通信手段により受信した前記ＩＣチップの利用状況に基づいて、前記携帯通信端末により前記ＩＣチップの電子バリューをチャージするか否かを判定し、
前記充電装置通信手段は、前記充電装置判定手段による判定結果を前記携帯通信端末に送信する充電装置。
【請求項５】
請求項４記載の充電装置であって、
前記ＩＣチップの利用状況に対する前記充電装置判定手段による判定条件を設定する第１充電装置設定手段を備え、
前記充電装置判定手段は、前記第１充電装置設定手段により設定した、前記ＩＣチップの利用状況に対する判定条件に基づいて、前記携帯通信端末により前記ＩＣチップの電子バリューをチャージするか否かを判定する充電装置。
【請求項６】
請求項２から５のいずれか１項に記載の充電装置であって、
前記ＩＣチップへの電子バリューのチャージを許可するための識別情報を設定する第２充電装置設定手段を備え、
前記充電装置記憶手段は、前記第２充電装置設定手段により設定した識別情報を記憶する充電装置。
【請求項７】
請求項２から５のいずれか１項に記載の充電装置であって、
前記充電装置通信手段は、前記ＩＣチップへの電子バリューのチャージを許可するための識別情報を前記携帯通信端末から受信し、
前記充電装置記憶手段は、前記充電装置通信手段により受信した識別情報を記憶する充電装置。
【請求項８】
請求項２から７のいずれか１項に記載の充電装置であって、
各種情報を表示する充電装置表示手段を備え、
前記充電装置表示手段は、前記充電装置通信手段により前記携帯通信端末から受信した前記ＩＣチップの利用状況を表示する充電装置。
【請求項９】
請求項４から８のいずれか１項に記載の充電装置であって、
前記ＩＣチップの利用状況は、少なくとも、電子バリューの残高が含まれ、
前記判定条件は、少なくとも、前記電子バリューの残高がある閾値以下であること、が含まれる充電装置。
【請求項１０】
ＩＣチップを搭載し、前記ＩＣチップの電子バリューをチャージするためのリモートチャージ用サーバと通信可能な携帯通信端末であって、
当該携帯通信端末に備わる充電池を充電する充電装置と、当該充電装置による当該携帯通信端末の充電池の充電時に、通信を行う携帯通信端末通信手段と、
前記携帯通信端末通信手段により前記充電装置から受信した、前記ＩＣチップへの電子バリューのチャージを許可するための識別情報に基づいて電子バリューのチャージ可、不可を判定する前記ＩＣチップから、電子バリューのチャージ可、不可の通知を受け付ける通知受付手段と、
前記通知受付手段により電子バリューのチャージ可の通知を受け付けた場合、前記リモートチャージ用サーバと通信を行い、前記ＩＣチップの電子バリューをチャージするよう制御する携帯通信端末制御手段と、
を備える携帯通信端末。
【請求項１１】
請求項１０に記載の携帯通信端末であって、
前記充電装置による当該携帯通信端末の充電池の充電時に、当該充電装置を識別する携帯通信端末識別手段を備え、
前記携帯通信端末通信手段は、所定の充電装置であることを前記携帯通信端末識別手段が識別した場合、前記充電装置から前記識別情報を受信する携帯通信装置。
【請求項１２】
請求項１０または１１に記載の携帯通信端末であって、
前記ＩＣチップの利用状況に基づいて、当該ＩＣチップへ電子バリューをチャージするか否かを判定する携帯通信端末判定手段を備え、
前記携帯通信端末制御手段は、前記携帯通信端末判定手段による判定結果に応じて、前記ＩＣチップへ電子バリューをチャージするか否かを制御する携帯通信端末。
【請求項１３】
請求項１２記載の携帯通信端末であって、
前記ＩＣチップの利用状況に対する前記携帯通信端末判定手段による判定条件を設定する第１携帯通信端末設定手段を備え、
前記携帯通信端末判定手段は、前記第１携帯通信端末設定手段により設定した、前記ＩＣチップの利用状況に対する判定条件に基づいて、前記ＩＣチップへ電子バリューをチャージするか否かを判定する携帯通信端末。
【請求項１４】
請求項１０から１３いずれか１項に記載の携帯通信端末であって、
前記ＩＣチップへの電子バリューのチャージを許可するための識別情報を設定する第２携帯通信端末設定手段を備え、
前記携帯通信端末通信手段は、前記第２携帯通信端末設定手段により設定した識別情報を前記充電装置に送信する携帯通信端末。
【請求項１５】
請求項１２から１４のいずれか１項に記載の携帯通信端末であって、
前記ＩＣチップの利用状況は、少なくとも、電子バリューの残高が含まれ、
前記判定条件は、少なくとも、前記電子バリューの残高がある閾値以下であること、が含まれる携帯通信端末。
【請求項１６】
請求項３から９のいずれか１項に記載の充電装置と、請求項１１から１５のいずれか１項に記載の携帯通信端末と、前記携帯通信端末と通信可能なリモートチャージ用サーバと、から構成されるリモートチャージシステム。
【発明の詳細な説明】
【技術分野】
【０００１】
本発明は、携帯通信端末に電子マネーをチャージするリモートチャージシステム、そのシステムに用いる充電台、および、そのシステムに用いる携帯通信端末に関する。
【背景技術】
【０００２】
近年、非接触ＩＣカード（非接触ＩＣチップも含む）を利用した、様々なサービスが提供されている。例えば、店舗や自動販売機における料金の精算、鉄道やバスなどの交通手段における乗車運賃の精算、または、各種会場における入場者の入退場の管理、などが挙げられる。例えば鉄道施設内における非接触ＩＣカードを利用したシステムの場合、駅の券売機に設置されたチャージ端末に非接触ＩＣカードを挿し込み、現金を投入することで、非接触ＩＣカードに電子マネーが補充されるようになっている。
【０００３】
また、非接触ＩＣカードを利用したシステムとして、上記のようなチャージ端末によって電子マネーをチャージしなくても、ネットワーク経由で電子マネー決済を行うことができる電子決済システムも提案されている（例えば特許文献１参照）。この電子決済システムは、利用者の識別ＩＤ及び電子バリュー残高を記憶した非接触ＩＣカードと、この非接触ＩＣカードと通信可能で、本システムによる電子決済を行うことが可能な非接触ＩＣカードの識別ＩＤ情報を管理する情報管理サーバと、金融機関等に設置された請求サーバから構成されており、情報管理サーバは本システムによる電子決済を行うことが可能な非接触ＩＣカードの識別ＩＤをデータベースに記憶している。
【０００４】
上記の電子決済システムは、例えば鉄道施設において利用される場合、上記の非接触ＩＣカードの利用者が情報管理サーバと接続された自動改札機を通過すると、非接触ＩＣカードと自動改札機との間で非接触の通信が行われ、非接触ＩＣカードから情報管理サーバに識別ＩＤ及び電子バリュー残高が伝達される。情報管理サーバは、その非接触ＩＣカードの識別ＩＤが本システムによる電子決済を行うことが可能なものあると認識すると、決済金額（鉄道利用金額）分を減じた電子バリュー残高を非接触ＩＣカードに送信する。このとき、情報管理サーバは、決済金額（鉄道利用金額）分を減じたことにより電子バリュー残高が所定額以下になった場合には、所定の金額を補充した電子バリュー残高を非接触ＩＣカードに送信するとともに、請求サーバにその補充した金額と非接触ＩＣカードの識別ＩＤを送信する。請求サーバは、情報管理サーバから送信された識別ＩＤから利用者を特定し、その利用者が予め指定した支払方法に応じて、情報管理サーバにより補充した金額の請求処理を行う。
【０００５】
このように、上記の電子決済システムにより、利用者は、非接触ＩＣカードが記憶する電子バリュー残高が所定額以下になったときに自動的に電子バリューの補充を行うことができるため、電子バリュー残高が少なくなるたびにチャージ端末などにより電子マネーを補充する手間がかからず、利便性が向上する。
【０００６】
【特許文献１】特許第３４９７１４４号公報
【発明の開示】
【発明が解決しようとする課題】
【０００７】
しかしながら、上記のような従来の電子決済システムにおいては、情報管理サーバが非接触ＩＣカードと通信を行ったときに非接触ＩＣカードの識別ＩＤを認証しているが、所有者が紛失した非接触ＩＣカードを他人が利用した場合でも、電子決済を行うことができ、さらに、電子決済を行って電子バリュー残高が所定額以下になる度に自動的に補充されるためるため、非接触ＩＣカード紛失時の被害が大きくなる可能性があった。
【０００８】
また、非接触ＩＣカード紛失した場合に備えて、非接触ＩＣカードによるサービス利用毎に、非接触ＩＣカードの識別ＩＣによる認証以外に、サービス利用者が他の認証（例えば、パスワードの入力）をするようにしても良いが、この手続はサービス利用者に手間をかけさせてしまう。
【０００９】
本発明は、上記事情に鑑みてなされたもので、非接触ＩＣチップの電子バリューをリモートチャージする際の、システム利用者の利便性と、非接触ＩＣチップ、または、非接触ＩＣチップを搭載した携帯電話などの携帯通信端末紛失時の安全性と、を向上を図ることができるリモートチャージシステム、そのシステムに用いる充電台、および、そのシステムに用いる携帯通信端末を提供することを目的とする。
【課題を解決するための手段】
【００１０】
本発明のリモートチャージシステムは、前記携帯通信端末と通信可能なリモートチャージ用サーバと、から構成される前記ＩＣチップの電子バリューをチャージするリモートチャージシステムであって、前記充電装置が、当該充電装置による前記携帯通信端末の充電池の充電時に、前記携帯通信端末と通信を行う充電装置通信手段と、前記ＩＣチップへの電子バリューのチャージを許可するための識別情報を記憶する充電装置記憶手段と、を備え、前記充電装置通信手段が、前記充電装置記憶手段に記憶した識別情報を前記携帯通信端末に送信し、前記携帯通信端末が、前記充電装置による当該携帯通信端末の充電池の充電時に、前記充電装置と通信を行う携帯通信端末通信手段と、前記充電装置から受信した識別情報に基づいて電子バリューのチャージ可、不可を判定する前記ＩＣチップから、電子バリューのチャージ可、不可の通知を受け付ける通知受付手段と、前記通知受付手段により電子バリューのチャージ可の通知を受け付けた場合、前記リモートチャージ用サーバと通信を行い、前記ＩＣチップへ電子バリューをチャージするよう制御する携帯通信端末制御手段と、を備えるものである。
【００１１】
本発明の充電装置は、ＩＣチップの電子バリューをチャージ可能な携帯通信端末に備わる充電池を充電する充電装置であって、当該充電装置による前記携帯通信端末の充電池の充電時に、前記携帯通信端末と通信を行う充電装置通信手段と、前記ＩＣチップへの電子バリューのチャージを許可するための識別情報を記憶する充電装置記憶手段と、を備え、前記充電装置通信手段は、前記充電装置記憶手段に記憶した識別情報を前記携帯通信端末に送信するものである。
【００１２】
本発明の携帯通信端末は、ＩＣチップを搭載し、前記ＩＣチップの電子バリューをチャージするためのリモートチャージ用サーバと通信可能な携帯通信端末であって、当該携帯通信端末に備わる充電池を充電する充電装置と、当該充電装置による当該携帯通信端末の充電池の充電時に、通信を行う携帯通信端末通信手段と、前記携帯通信端末通信手段により前記充電装置から受信した、前記ＩＣチップへの電子バリューのチャージを許可するための識別情報に基づいて電子バリューのチャージ可、不可を判定する前記ＩＣチップから、電子バリューのチャージ可、不可の通知を受け付ける通知受付手段と、前記通知受付手段により電子バリューのチャージ可の通知を受け付けた場合、前記リモートチャージ用サーバと通信を行い、前記ＩＣチップの電子バリューをチャージするよう制御する携帯通信端末制御手段と、を備えるものである。
【００１３】
この構成により、ＩＣチップの電子バリューをリモートチャージする際の、システム利用者の利便性と、ＩＣチップ、または、ＩＣチップを搭載した携帯電話などの携帯通信端末紛失時の安全性と、を向上を図ることができる
【００１４】
また、本発明の充電装置であって、前記ＩＣチップへの電子バリューのチャージを許可された携帯通信端末を、識別する充電装置識別手段を備え、前記充電装置通信手段は、チャージを許可された携帯通信端末を前記充電装置識別手段が識別した場合、前記充電装置記憶手段に記憶した識別情報を前記携帯通信端末に送信するものを含む。
【００１５】
また、本発明の携帯通信端末であって、前記充電装置による当該携帯通信端末の充電池の充電時に、当該充電装置を識別する携帯通信端末識別手段を備え、前記携帯通信端末通信手段は、所定の充電装置であることを前記携帯通信端末識別手段が識別した場合、前記充電装置から前記識別情報を受信するものを含む。
【００１６】
この構成により、ＩＣチップ、または、ＩＣチップを搭載した携帯電話などの携帯通信端末紛失時の安全性のさらなる向上を図ることができる
【００１７】
また、本発明の充電装置は、前記携帯通信端末により前記ＩＣチップの電子バリューをチャージするか否かを判定する充電装置判定手段を備え、前記充電装置通信手段が、前記ＩＣチップの利用状況を前記携帯通信端末から受信し、前記充電装置判定手段が、前記充電装置通信手段により受信した前記ＩＣチップの利用状況に基づいて、前記携帯通信端末により前記ＩＣチップの電子バリューをチャージするか否かを判定し、前記充電装置通信手段が、前記充電装置判定手段による判定結果を前記携帯通信端末に送信するものを含む。
【００１８】
この構成により、電子バリューの残高などのＩＣチップの利用状況に応じて、電子バリューをチャージするタイミングを設定できるため、ＩＣチップに効果的に電子バリューをチャージすることができる。
【００１９】
また、本発明の充電装置は、前記ＩＣチップの利用状況に対する前記充電装置判定手段による判定条件を設定する第１充電装置設定手段を備え、前記充電装置判定手段は、前記第１充電装置設定手段により設定した、前記ＩＣチップの利用状況に対する判定条件に基づいて、前記携帯通信端末により前記ＩＣチップの電子バリューをチャージするか否かを判定するものを含む。
【００２０】
また、本発明の充電装置は、前記ＩＣチップの利用状況は、少なくとも、電子バリューの残高が含まれ、前記判定条件は、少なくとも、前記電子バリューの残高がある閾値以下であること、が含まれるものを含む。
【００２１】
この構成により、ＩＣチップ利用者ごとの利用状況に応じて、電子バリューをチャージするタイミングを設定できるため、ＩＣチップにより効果的に電子バリューをチャージすることができる。
【００２２】
また、本発明の充電装置は、前記携帯通信端末による前記ＩＣチップへの電子バリューのチャージを許可するための識別情報を設定する第２充電装置設定手段を備え、前記充電装置記憶手段は、前記第２充電装置設定手段により設定した識別情報を記憶するものを含む。
【００２３】
また、本発明の充電装置は、前記充電装置通信手段が、前記携帯通信端末による前記ＩＣチップへの電子バリューのチャージを許可するための識別情報を前記携帯通信端末から受信し、前記充電装置記憶手段が、前記充電装置通信手段により受信した識別情報を記憶するものを含む。
【００２４】
この構成により、前記携帯通信端末による前記ＩＣチップへの電子バリューのチャージを許可するための識別情報を設定することができるため、識別情報を他人に特定される可能性が低くなり、ＩＣチップ、または、ＩＣチップを搭載した携帯電話などの携帯通信端末紛失時の安全性を向上することができる。
【００２５】
また、本発明の充電装置は、各種情報を表示する充電装置表示部を備え、前記充電装置表示部は、前記充電装置通信手段により前記携帯通信端末から受信した前記ＩＣチップの利用状況を表示するものを含む。
【００２６】
この構成により、利用者は、上述の設定を容易に行うことができる。
【００２７】
また、本発明の携帯通信端末は、前記ＩＣチップの利用状況に基づいて、当該ＩＣチップの電子バリューをチャージするか否かを判定する携帯通信端末判定手段を備え、前記携帯通信端末制御手段は、前記携帯通信端末判定手段による判定結果に応じて、前記ＩＣチップの電子バリューをチャージするか否かを制御するものをふくむ。
【００２８】
この構成により、電子バリューの残高などのＩＣチップの利用状況に応じて、電子バリューをチャージするタイミングを設定できるため、ＩＣチップに効果的に電子バリューをチャージすることができる。
【００２９】
また、本発明の携帯通信端末は、前記ＩＣチップの利用状況に対する前記携帯通信端末判定手段による判定条件を設定する第１携帯通信端末設定手段を備え、前記携帯通信端末判定手段が、前記第１携帯通信端末設定手段により設定した、前記ＩＣチップの利用状況に対する判定条件に基づいて、前記ＩＣチップの電子バリューをチャージするか否かを判定するものを含む。
【００３０】
また、本発明の携帯通信端末は、前記ＩＣチップの利用状況は、少なくとも、電子バリューの残高が含まれ、前記判定条件は、少なくとも、前記電子バリューの残高がある閾値以下であること、が含まれるものを含む。
【００３１】
この構成により、ＩＣチップ利用者ごとの利用状況に応じて、電子バリューをチャージするタイミングを設定できるため、ＩＣチップにより効果的に電子バリューをチャージすることができる。
【００３２】
また、本発明の携帯通信端末は、当該携帯通信端末による前記ＩＣチップへの電子バリューのチャージを許可するための識別情報を設定する第２携帯通信端末設定手段を備え、前記携帯通信端末通信手段が、前記第２充電装置設定手段により設定した識別情報を前記充電装置に送信するものを含む。
【００３３】
この構成により、前記携帯通信端末による前記ＩＣチップへの電子バリューのチャージを許可するための識別情報を設定することができるため、識別情報を他人に特定される可能性が低くなり、ＩＣチップ、または、ＩＣチップを搭載した携帯電話などの携帯通信端末紛失時の安全性を向上することができる。
【００３４】
また、本発明のリモートチャージシステムは、本発明の充電装置と、本発明の携帯通信端末と、前記携帯通信端末と通信可能なリモートチャージ用サーバと、から構成されるものである。
【発明の効果】
【００３５】
本発明のリモートチャージシステム、そのシステムに用いる充電台、および、そのシステムに用いる携帯通信端末によれば、非接触ＩＣチップの電子バリューをリモートチャージする際の、システム利用者の利便性と、非接触ＩＣチップ、または、非接触ＩＣチップを搭載した携帯電話などの携帯通信端末紛失時の安全性と、を向上を図ることができる。
【発明を実施するための最良の形態】
【００３６】
（第１実施形態）
以下、本発明の第１実施形態のリモートチャージシステムについて、図面を用いて説明する。図１に、本発明の第１実施形態のリモートチャージシステムの構成を示すブロック図を示す。
【００３７】
本発明の第１実施形態のリモートチャージシステムは、非接触ＩＣチップ４を搭載した携帯電話１、携帯電話に備わる充電池を充電するための充電台２、非接触ＩＣチップ４へ電子バリューを補充（チャージ）するリモートチャージ用サーバ３、とを含んで構成される。
【００３８】
携帯電話１は、携帯電話操作部１１、携帯電話表示部１２、携帯電話無線部１３、携帯電話記憶部１４、携帯電話通信部１５、携帯電話制御部１６、充電池１７、携帯電話側通信用インタフェース１８、携帯電話側充電用インタフェース１９、非接触ＩＣチップ４、とを含んで構成される。携帯電話操作部１１は、携帯電話利用者からの入力操作を受け付ける。携帯電話表示部１２は、各種情報を表示する。携帯電話無線部１３は、携帯電話通信用の基地局（図示せず）と無線通信を行い、その基地局を介してリモートチャージ用サーバ３と通信を行う。携帯電話記憶部１４は、各種データを記憶する。携帯電話通信部１５は、携帯電話側通信用インタフェース１８を介して充電台２とデータ通信を行う。携帯電話制御部１６は、充電池１７からの電力の供給を受けて動作する上記の各部（点線で囲まれる範囲にある部）を制御する。充電池１７は、携帯電話側充電用インタフェース１９を介して接続される充電台２により充電される。また、携帯電話１は、近距離にある非接触ＩＣチップ用リーダ（図示せず。例えば、上記の背景技術で述べた自動改札機）と無線による通信を行う非接触ＩＣチップ４を搭載している。なお、携帯電話１は、近年の携帯電話が備える各種機能部を備えるようにしても構わない。
【００３９】
携帯電話記憶部１４は、携帯電話操作部１１により入力を受け付けた、充電台２に携帯電話１を載置時にチャージする条件、例えば、チャージするかしないか、非接触ＩＣチップ４の電子バリュー残高がどの程度の金額の時点でチャージするのか、一回にどの程度の金額をチャージするのかなど、の条件を記憶している。
【００４０】
携帯電話通信部１５は、携帯電話制御部１６から入力する制御信号に従って、携帯電話側通信用インタフェース１８を介して充電台２とデータ通信を行う。
【００４１】
携帯電話制御部１６は、リモートチャージ用サーバ３にアクセスして非接触ＩＣチップ４の電子バリュー残高を補充（チャージ）処理を実行する際、携帯電話記憶部１４に記憶したＰＩＮ（Personal Identification Number）による個人認証プログラムを起動して、この認証が成功した場合にのみ、チャージ処理を実行する。携帯電話制御部１６は、この認証に必要なＰＩＮを携帯電話通信部１５を介して充電台２から入力する。すなわち、携帯電話１を充電台２に載置した状態で、かつ、ＰＩＮによる個人認証に成功した場合にのみ、非接触ＩＣチップ４の電子バリュー残高をチャージすることができるため、非接触ＩＣチップを備えたＩＣカードや携帯電話紛失時に、他人によってチャージ処理がなされることを防ぐことができる。なお、ＰＩＮによる個人認証する場合について述べたが、これに限るものではない。
【００４２】
また、携帯電話１が充電台２に載置された際にＰＩＮによる個人認証を行い、成功した場合に携帯電話１に搭載された非接触ＩＣチップ４の電子バリュー残高をチャージする構成により、携帯電話利用者が頻繁に行う携帯電話充電時に、同時に電子バリュー残高のチャージを行うことができるため、チャージ処理にかける携帯電話利用者の手間を省くことができる。
【００４３】
なお、携帯電話１を充電第２に載置するという条件に加え、個人認証に成功するという条件が必要な理由は、ある端末種別の携帯電話が複数人に利用されているために同じタイプの充電台を複数人が所有している場合や、あるタイプの充電台により端末種別の異なる複数の携帯電話を充電することができる場合が考えられ、携帯電話と充電台を１対１に対応させることが困難であるため、個人認証が必要になる。
【００４４】
携帯電話側通信用インタフェース１８は、充電台２とデータ通信を行うためのものである。携帯電話の筐体表面に端子を設けて、その端子を充電台２に接続するようにしても良いし、携帯電話側通信用インタフェース１８を携帯電話側充電用インタフェース１９と兼用とし、携帯電話側充電用インタフェース１９を介して充電台２に接続してデータ通信するようにしても良い。また、携帯電話側通信用インタフェース１８は、充電台２と非接触の状態により通信を行う構成としても良い。
【００４５】
非接触ＩＣチップ４は、ＩＣが内蔵されたチップカードを指し、ＩＣ制御部４１、ＩＣ記憶部４２、ＩＣ無線部４３、を含んで構成される。非接触ＩＣチップ４は、ＩＣ無線部４３に含まれるアンテナ（図示せず）を介して、非接触ＩＣチップ４への電力供給、および、非接触ＩＣチップ用リーダとのデータ通信が行われる。用途によって「ＲＦ−ＩＤ（Radio Frequency Identification）」や「ＲＦタグ」と呼ばれることもあるが、基本的には同じものを指す。
【００４６】
ＩＣ制御部４１は、ＩＣ記憶部４２にデータを書き込みあるいはデータを読み出し、また、ＩＣ無線部４３による非接触ＩＣチップ用リーダとの無線通信を制御してデータを送受信し、さらに、ＩＣ記憶部４２またはＩＣ無線部４３から入力するデータのデータ処理を行う。また、ＩＣ制御部４１は、携帯電話制御部１６とデータ通信できるように接続されており、携帯電話制御部１６からデータ書き込み指示を受けてＩＣ記憶部４２へデータを書き込んだり、あるいは、携帯電話制御部１６からデータ読み出し指示を受けてＩＣ記憶部４２から読み出したデータを携帯電話制御部１６に出力したりすることができる。
【００４７】
ＩＣ記憶部４２は、非接触ＩＣチップ４毎に割り当てられた識別ＩＤ、および、非接触ＩＣチップ４を利用したサービスに用いることができる電子バリューの残高を少なくとも記憶している。
【００４８】
充電台２は、携帯電話１に備わる充電池１７の充電と携帯電話１とのデータ通信を行うことができる構成であり、充電台操作部２１、充電台表示部２２、充電台記憶部２３、充電台通信部２４、接続検知部２５、充電台制御部２６、電源供給部２７、充電台側通信用インタフェース２８、充電台側充電用インタフェース２９、を含んで構成される。充電台操作部２１は、携帯電話利用者からの入力操作を受け付ける。充電台表示部２２は、各種情報を表示する。充電台記憶部２３は、各種データを記憶する。充電台通信部２４は、携帯電話１が充電台２に載置されたときに、充電台側通信用インタフェース２８を介して携帯電話１とデータ通信を行う。接続検知部２５は、携帯電話１が充電のために充電台２に載置されたことを検知する。充電台制御部２６は、電源供給部２７からの電力の供給を受けて動作する上記の各部（点線で囲まれる範囲にある部）を制御する。電源供給部２７は、コンセント（図示せず）からの電力供給を受けて、充電台２の点線で囲まれた範囲にある各部および充電台側充電用インタフェース２９に供給可能な電力に変換し、電力を供給する。
【００４９】
充電台操作部２１は、充電台２が携帯電話１載置時にチャージするか否かの条件の設定を受け付ける。
【００５０】
充電台表示部２２は、充電台操作部２１による操作を受け付ける際に、携帯電話利用者に手間をかけさせることなく設定を行わせるために、その設定の設定操作を促すための文字、画像、を表示する。また、充電台表示部２２は、携帯電話１が充電台２に載置時に、充電台通信部２４を介して読み出した非接触ＩＣチップ４の電子バリュー残高や非接触ＩＣチップ４の利用履歴を表示するようにして、非接触ＩＣチップ４の利用状況を携帯電話利用者に通知するようにしても良い。
【００５１】
充電台記憶部２３は、充電台制御部２６が充電台の各部を制御するためのプログラムを記憶し、さらに、ＰＩＮを記憶している。また、充電台記憶部２３は、携帯電話１が充電台２に載置時に、充電台通信部２４を介して読み出した非接触ＩＣチップ４の電子バリュー残高や非接触ＩＣチップ４の利用履歴を、読み出した時刻に対応させて記憶するようにしても良い。これにより、充電台制御部２６は、充電台記憶部２３から過去の非接触ＩＣチップ４の電子バリュー残高や非接触ＩＣチップ４の利用履歴を読み出して、電子バリュー残高の推移や利用履歴一覧を充電台表示部２２に表示することができる。
【００５２】
充電台通信部２４は、充電台制御部２６から出力される制御信号に従って、携帯電話通信部１５とデータ通信を行う。
【００５３】
接続検知部２５は、携帯電話１が充電のために充電台２に載置されたことを、充電台側充電用インタフェース２９を流れる電流、電圧などの変化から検知し、充電台制御部２６に通知する。
【００５４】
充電台制御部２６は、充電台記憶部２３に記憶されたプログラムを基に、各部の処理を制御する。充電台制御部２６は、接続検知部２５から携帯電話１が充電台２に載置されたことを通知されると、充電台通信部２４に携帯電話通信部１５と通信を開始するよう制御する。充電台制御部２６は、ＰＩＮを携帯電話通信部１５に出力するよう要求するＰＩＮ要求を充電台通信部２４から入力すると、充電台記憶部２３からＰＩＮを読み出し、この読み出したＰＩＮを携帯電話通信部１５に送信するよう充電台通信部２４を制御する。
【００５５】
充電台側通信用インタフェース２８は、携帯電話１とデータ通信を行うためのものである。充電台２の筐体表面に端子を設けて、その端子を携帯電話１筐体表面に設けた端子に接続するようにしても良いし、充電台側通信用インタフェース２８を充電台側充電用インタフェース２９と兼用とし、充電台側充電用インタフェース２９を介して充電台に接続してデータ通信するようにしても良い。また、充電台側通信用インタフェース２８は、携帯電話１と非接触の状態により通信を行う構成としても良い。
【００５６】
なお、充電台２は、少なくとも、携帯電話１からＰＩＮ要求があった場合にＰＩＮを携帯電話１に通知することができる構成であれば良く、この構成が最も簡易でコストを抑えることが可能なものであるが、充電台操作部２１および充電台表示部２２構成として加えることにより、より効果的なユーザインタフェースを携帯電話利用者に提供することができる。
【００５７】
リモートチャージ用サーバ３は、携帯電話１とのデータ通信を行うことができ、上記の背景技術で述べた、この非接触ＩＣチップ４と通信可能で、電子決済を行うことが可能な非接触ＩＣカードの識別ＩＤ情報を管理する情報管理サーバと、基本的には同様の構成である。リモートチャージ用サーバ３は、サーバ制御部３１、サーバ通信部３２、サーバ記憶部３３、を含んで構成される。サーバ通信部３２は、携帯電話通信用の基地局と通信を行い、その基地局を介して携帯電話１と通信を行う。サーバ記憶部３３は、電子決済を行うことが可能な非接触ＩＣチップ４の識別ＩＤ情報を記憶する。サーバ制御部３１は、サーバ記憶部３３に記憶されたデータを書き込みあるいはデータを読み出し、また、サーバ通信部３２を制御してデータを送受信し、さらに、サーバ通信部３２、サーバ記憶部３３から入力するデータのデータ処理を行う。
【００５８】
サーバ制御部３１は、携帯電話１からチャージ要求がなされたことをサーバ通信部３２から通知されると、サーバ通信部３２からチャージ要求時に併せて通知される非接触ＩＣチップ４の識別ＩＤに該当するものがサーバ記憶部３３にある場合、背景技術で述べた請求サーバ（図示せず）と通信を行って当該識別ＩＤを割り当てられた人物が保有する預金口座の残高を確認し、預金残高がチャージ要求金額よりも大きいことを確認すると、チャージ要求金額を補充した電子バリュー残高を携帯電話１に送信するようサーバ通信部３３を制御するとともに、請求サーバにそのチャージ要求金額と非接触ＩＣカードの識別ＩＤを送信する。請求サーバは、情報管理サーバから送信された識別ＩＤから利用者を特定し、その利用者が予め指定した支払方法に応じて、情報管理サーバによりチャージ要求金額の請求処理を行う。
【００５９】
以上のように構成された本発明の第１実施形態のリモートチャージシステムについて、チャージ処理の流れを図２のフローチャートを用いて説明する。
【００６０】
携帯電話制御部１６は、携帯電話１が充電台２に載置され、充電池への電力供給が開始されると、携帯電話記憶部１４に記憶した、チャージ処理を開始すべき非接触ＩＣチップ４の電子バリュー残高の閾値と、非接触ＩＣチップ４から読み出した非接触ＩＣチップ４の現在の電子バリュー残高と、を比較し（Ｓ１１０）、非接触ＩＣチップ４の現在の電子バリュー残高がこの閾値を下回っていれば（Ｓ１１１、ＹＥＳ）、リモートチャージ用サーバ３にチャージ要求信号を送信するよう携帯電話無線部１３を制御する（Ｓ１１２）。チャージ要求信号には、非接触ＩＣチップ４の識別ＩＤやチャージ要求金額などが含まれる。ステップＳ１１１の処理において、非接触ＩＣチップ４の現在の電子バリュー残高がこの閾値を上回っていれば（Ｓ１１１、ＮＯ）、チャージ処理を終了とするようにしても良い。なお、携帯電話制御部１６は、携帯電話記憶部１４に記憶した、チャージ処理を開始すべき非接触ＩＣチップ４の電子バリュー残高の閾値と、非接触ＩＣチップ４から読み出した非接触ＩＣチップ４の現在の電子バリュー残高と、を判定の条件として参照するようにしたが、これに限るものではなく、例えば、前回のチャージした日時から所定の日数が経過しているかを判定の条件としたり、チャージ処理を行う日時が指定された日時を満たしているかを判定の条件にするなど、時間的な条件を参照するようにしても良い。
【００６１】
サーバ制御部３１は、携帯電話１からチャージ要求がなされたことをサーバ通信部３２から通知されると（Ｓ１３０）、サーバ通信部３２からチャージ要求信号に含まれる非接触ＩＣチップ４の識別ＩＤに該当するものがサーバ記憶部３３にある場合、背景技術で述べた請求サーバ（図示せず）と通信を行って当該識別ＩＤを割り当てられた人物が保有する預金口座の残高を確認し、預金残高がチャージ要求金額よりも大きいことを確認すると（Ｓ１３１、ＹＥＳ）、チャージ処理の開始を許可したことを表すチャージ許可信号を携帯電話１にするようサーバ通信部３２を制御する（Ｓ１３２）。サーバ制御部３１は、逆に、預金残高がチャージ要求金額よりも小さいことを確認すると（Ｓ１３１、ＮＯ）、チャージ処理の開始を許可しないことを表すチャージ不許可信号を携帯電話１にするようサーバ通信部３２を制御し、この時点でチャージ処理は終了することになる。
【００６２】
携帯電話制御部１６は、リモートチャージ用サーバ３からチャージ処理が許可されたことを携帯電話無線部から通知されると（Ｓ１１３）、充電台２の充電台通信部２４と通信回線を確立するよう携帯電話通信部１５を制御する（Ｓ１１４）。このとき、携帯電話通信部１５は、通信回線を確立することができない場合は（Ｓ１１５、ＮＯ）、チャージ処理は終了する、あるいは、通信回線を確立するまで確立処理を繰り返すことになる。携帯電話制御部１６は、通信回線確立後（Ｓ１１５、ＹＥＳ）、ＰＩＮを送信するよう要求するＰＩＮ要求を充電台２に送信するよう携帯電話通信部１５を制御する（Ｓ１１６）。
【００６３】
携帯電話制御部１６は、上記の通信回線を確立後、認証用識別情報、例えばＩＤおよびパスワード、を入力する促す画面を携帯電話表示部１２に表示し、予め設定された認証様式別情報（この認証様式別情報を携帯電話記憶部１４に記憶しても良いし、充電台記憶部２３に記憶しても良い）を携帯電話操作部１１により受け付けた場合に、通信を開始するようにしても良い。
【００６４】
また、この認証形態としては、一般的なチャレンジ‐レスポンス型の相手認証アルゴリズムを実装してもよい。具体的には、予め充電台記憶部２３と携帯電話記憶部１４に共有鍵を設定しておく。充電台２は携帯電話１にチャレンジを送信し、携帯電話１はチャレンジと共通鍵を入力して認証コードAを生成し、充電台２に送信する。一方、充電台２は受信した認証コードAが、自身の共通鍵と自身で生成したチャレンジとから得られた認証コードＡ’と等しいことを確認する。そして、充電台２は認証コードが等しければ、ＰＩＮによるＩＣチップのロック解除の処理に進む。携帯電話１が充電台２を認証する場合も、上記の携帯電話１と充電台の処理を入れ替えれば、同様に可能である。この構成により、非接触ＩＣカードや非接触ＩＣチップを備えた携帯電話紛失時の安全性を、さらに高めることができる。
【００６５】
一方、充電台制御部２６は、接続検知部２５から携帯電話１が充電台２に載置されたことを通知されると、携帯電話１の携帯電話通信部１５と通信回線を確立するよう充電台通信部２４を制御する。充電台制御部２６は、通信回線確立後、携帯電話１からＰＩＮ要求がなされたことを充電台通信部２４から通知されると（Ｓ１２０）、充電台記憶部２３からＰＩＮを読み出し（Ｓ１２１）、この読み出したＰＩＮを携帯電話通信部１５に送信するよう充電台通信部２４を制御する（Ｓ１２２）。
【００６６】
携帯電話制御部１６は、充電台２からＰＩＮを受信したことを携帯電話通信部１５から通知されると（Ｓ１１７）、携帯電話記憶部１４に記憶した個人認証プログラムを起動して、このＰＩＮによる個人認証を行う。この認証が成功した場合にのみ（Ｓ１１８）、チャージ処理を開始する。
【００６７】
サーバ制御部３１は、チャージ要求金額を補充した電子バリュー残高を携帯電話１に送信するようサーバ通信部３２を制御するとともに、請求サーバにそのチャージ要求金額と非接触ＩＣカードの識別ＩＤを送信する（Ｓ１３３）。請求サーバは、情報管理サーバから送信された識別ＩＤから利用者を特定し、その利用者が予め指定した支払方法に応じて、情報管理サーバによりチャージ要求金額の請求処理を行う。サーバ制御部３１は、これらの処理が終わると、チャージ処理が完了したことを携帯電話に通知するようサーバ通信部３２を制御する（Ｓ１３４）。
【００６８】
本発明の第１実施形態のリモートチャージシステムによれば、非接触ＩＣチップの電子バリューをリモートチャージする際の、システム利用者の利便性と、非接触ＩＣチップ、または、非接触ＩＣチップを搭載した携帯電話などの携帯通信端末紛失時の安全性と、を向上を図ることができる。
【００６９】
（第２実施形態）
本発明の第２実施形態のリモートチャージシステムについて、図面を用いて説明する。本発明の第２実施形態のリモートチャージシステムの構成は、本発明の第１実施形態のリモートチャージシステムの構成と同一である。第１実施形態では携帯電話１の携帯電話制御部１６が主体的な制御を行ってリモートチャージ処理を行うことにより携帯電話１がユーザインタフェースの役割を果たしたが、第２実施形態では充電台２の充電台制御部２６が主体的な制御を行ってリモートチャージ処理を行うことにより充電台２がユーザインタフェースの役割を果たす。以下、第１実施形態と同一の機能を有する部については、説明を省略する。
【００７０】
充電台操作部２１は、充電台２が携帯電話１載置時にチャージする条件、例えば、チャージするかしないか、非接触ＩＣチップ４の電子バリュー残高がどの程度の金額の時点でチャージするのか、一回にどの程度の金額をチャージするのかなど、の条件の設定を受け付ける。また、充電台操作部２１は、ＰＩＮの設定を受け付けることもできる構成として良い。また、充電台操作部２１は、ＰＩＮの設定を受け付けることもできる構成として良い。充電台２によるＰＩＮの設定については、後述する。
【００７１】
充電台表示部２２は、充電台操作部２１による操作を受け付ける際に、携帯電話利用者に手間をかけさせることなく設定を行わせるために、その設定の設定操作を促すための文字、画像、を表示する。また、充電台表示部２２は、携帯電話１が充電台２に載置時に、充電台通信部２４を介して読み出した非接触ＩＣチップ４の電子バリュー残高や非接触ＩＣチップ４の利用履歴を表示するようにして、非接触ＩＣチップ４の利用状況を携帯電話利用者に通知するようにしても良い。
【００７２】
充電台記憶部２３は、充電台制御部２６が充電台の各部を制御するためのプログラムを記憶し、さらに、ＰＩＮを記憶している。また、充電台記憶部２３は、充電台操作部２１により入力を受け付けた、充電台２に携帯電話１を載置時にチャージする条件、例えば、チャージするかしないか、非接触ＩＣチップ４の電子バリュー残高がどの程度の金額の時点でチャージするのか、一回にどの程度の金額をチャージするのかなど、の条件を記憶している。また、充電台記憶部２３は、携帯電話１が充電台２に載置時に、充電台通信部２４を介して読み出した非接触ＩＣチップ４の電子バリュー残高や非接触ＩＣチップ４の利用履歴を、読み出した時刻に対応させて記憶するようにしても良い。これにより、充電台制御部２６は、充電台記憶部２３から過去の非接触ＩＣチップ４の電子バリュー残高や非接触ＩＣチップ４の利用履歴を読み出して、電子バリュー残高の推移や利用履歴一覧を充電台表示部２２に表示することができる。
【００７３】
充電台制御部２６は、充電台記憶部２３に記憶されたプログラムを基に、各部の処理を制御する。充電台制御部２６は、接続検知部２５から携帯電話１が充電台２に載置されたことを通知されると、充電台通信部２４に携帯電話通信部１５と通信を開始するよう制御する。充電台制御部２６は、充電台記憶部２３に記憶したチャージ処理を開始すべき非接触ＩＣチップ４の電子バリュー残高の閾値と、携帯電話１を介して非接触ＩＣチップ４から読み出した非接触ＩＣチップ４の現在の電子バリュー残高と、を比較し、非接触ＩＣチップ４の現在の電子バリュー残高がこの閾値を下回っていれば、充電台機億部２３に記憶したＰＩＮを携帯電話通信部１５に送信するよう充電台通信部２４を制御して、チャージ処理を開始する。なお、充電台制御部２６は、充電台記憶部２３に記憶した、チャージ処理を開始すべき非接触ＩＣチップ４の電子バリュー残高の閾値と、携帯電話１を介して非接触ＩＣチップ４から読み出した現在の非接触ＩＣチップ４の電子バリュー残高と、を判定の条件として参照するようにしたが、これに限るものではなく、例えば、前回のチャージした日時から所定の日数が経過しているかを判定の条件としたり、チャージ処理を行う日時が指定された日時を満たしているかを判定の条件にするなど、時間的な条件を参照するようにしても良い。
【００７４】
以上のように構成された本発明の第２実施形態のリモートチャージシステムについて、チャージ処理の流れを図３および図４のフローチャートを用いて説明する。
【００７５】
充電台制御部２６は、接続検知部２５から携帯電話１が充電台２に載置されたことを通知されると、携帯電話１の携帯電話通信部１５と通信回線を確立するよう充電台通信部２４を制御する（Ｓ２２０）。このとき、充電台通信部２４は、通信回線を確立することができない場合は（Ｓ２２１、ＮＯ）、チャージ処理は終了する、あるいは、通信回線を確立するまで確立処理を繰り返すことになる。充電台制御部２６は、通信回線確立後（Ｓ２２１、ＹＥＳ）、非接触ＩＣチップ４の現在の電子バリュー残高を照会するための残高照会信号を携帯電話通信部１５に送信するよう充電台通信部２４を制御する（Ｓ２２２）。
【００７６】
一方、携帯電話制御部１６は、充電台通信部２４から残高照会信号を受信したことを携帯電話通信部１５から通知されると（Ｓ２１０）、非接触ＩＣチップ４から現在の電子バリュー残高を読み出し（Ｓ２１１）、その読み出した電子バリュー残高を充電台通信部２４に送信するよう携帯電話通信部１５を制御する（Ｓ２１２）。
【００７７】
充電台制御部２６は、非接触ＩＣチップ４の現在の電子バリュー残高を携帯電話１を介して充電台通信部２４から受信し（Ｓ２２３）、この現在の電子バリュー残高と、充電台記憶部２３に記憶したチャージ処理を開始すべき非接触ＩＣチップ４の電子バリュー残高の閾値と、を比較し、非接触ＩＣチップ４の現在の電子バリュー残高がこの閾値を下回っていれば（Ｓ２２４、ＹＥＳ）、携帯電話通信部１５にチャージ要求信号を送信するよう充電台通信部２４を制御する（Ｓ２２５）。チャージ要求信号には、非接触ＩＣチップ４の識別ＩＤやチャージ要求金額などが含まれる。
【００７８】
充電台制御部２６は、上記の通信回線を確立後、認証用識別情報、例えばＩＤおよびパスワード、を入力する促す画面を充電台表示部２２に表示し、予め設定された認証様式別情報（この認証様式別情報を携帯電話記憶部１４に記憶しても良いし、充電台記憶部２３に記憶しても良い）を充電台操作部２１により受け付けた場合に、通信を開始するようにしても良い。この構成により、非接触ＩＣチップを備えた携帯電話充電時に、他人によるチャージ処理がなされることを防ぐことができる。
【００７９】
一方、携帯電話制御部１６は、充電台通信部２４からチャージ要求信号を受信したことを携帯電話通信部１５から通知されると（Ｓ２１３）、同じチャージ要求信号をリモートチャージ用サーバ３に送信するよう携帯電話無線部１３を制御する（Ｓ２１４）。
【００８０】
サーバ制御部３１は、携帯電話１からチャージ要求がなされたことをサーバ通信部３２から通知されると（Ｓ２３０）、サーバ通信部３２からチャージ要求信号に含まれる非接触ＩＣチップ４の識別ＩＤに該当するものがサーバ記憶部３３にある場合、背景技術で述べた請求サーバ（図示せず）と通信を行って当該識別ＩＤを割り当てられた人物が保有する預金口座の残高を確認し、預金残高がチャージ要求金額よりも大きいことを確認すると（Ｓ２３１、ＹＥＳ）、チャージ処理の開始を許可したことを表すチャージ許可信号を携帯電話１にするようサーバ通信部３２を制御する（Ｓ２３２）。サーバ制御部３１は、逆に、預金残高がチャージ要求金額よりも小さいことを確認すると（Ｓ２３１、ＮＯ）、チャージ処理の開始を許可しないことを表すチャージ不許可信号を携帯電話１にするようサーバ通信部３２を制御し、この時点でチャージ処理は終了することになる。
【００８１】
携帯電話制御部１６は、リモートチャージ用サーバ３からチャージ許可信号を受信したことを携帯電話無線部１３から通知されると（Ｓ２１５）、同じチャージ許可信号を充電台通信部２４に送信するよう携帯電話通信部１５を制御する（Ｓ２１６）。
【００８２】
充電台制御部２６は、携帯電話通信部１５からチャージ許可信号を受信したことを充電台通信部２４から通知されると（Ｓ２２６））、充電台記憶部２３からＰＩＮを読み出し（Ｓ２２７）、この読み出したＰＩＮを携帯電話通信部１５に送信するよう充電台通信部２４を制御する（Ｓ２２８）。
【００８３】
携帯電話制御部１６は、充電台２からＰＩＮを受信したことを携帯電話通信部１５から通知されると（Ｓ２１７）、携帯電話記憶部１４に記憶した個人認証プログラムを起動して、このＰＩＮによる個人認証を行う。この認証が成功した場合にのみ（Ｓ２１８）、チャージ処理を開始する。
【００８４】
サーバ制御部３１は、チャージ要求金額を補充した電子バリュー残高を携帯電話１に送信するようサーバ通信部３２を制御するとともに、請求サーバにそのチャージ要求金額と非接触ＩＣカードの識別ＩＤを送信する（Ｓ２３３）。請求サーバは、情報管理サーバから送信された識別ＩＤから利用者を特定し、その利用者が予め指定した支払方法に応じて、情報管理サーバによりチャージ要求金額の請求処理を行う。サーバ制御部３１は、これらの処理が終わると、チャージ処理が完了したことを携帯電話に通知するようサーバ通信部３２を制御する（Ｓ２３４）。
【００８５】
本発明の第２実施形態のリモートチャージシステムによれば、非接触ＩＣチップの電子バリューをリモートチャージする際に充電台をユーザインタフェースとして利用することができ、システム利用者の利便性と、非接触ＩＣチップ、または、非接触ＩＣチップを搭載した携帯電話などの携帯通信端末紛失時の安全性と、を向上を図ることができる。
【００８６】
また、充電台制御部２６に、充電台記憶部２３に記憶した充電時毎の電子マネーの残高や電子マネーの使用量の履歴に基づいて、チャージするか否かの判定基準（電子バリュー残高の閾値、チャージを行う時点などの条件）や非接触ＩＣチップ４にリモートチャージさせるチャージ要求金額を設定させることで、自動的にチャージ金額が設定され、使い勝手がさらに良いものとなる。充電台制御部２６のチャージ要求金額設定例としては、例えば、過去数日分の非接触ＩＣチップの利用履歴から、１日当たりの利用金額を算出し、一日に一度、その算出した利用金額分をチャージするように設定することが上げられる。
【００８７】
更に、充電台２に記憶したＰＩＮは、携帯電話１からも充電台２からも変更することができる構成としても良い。すなわち、充電台制御部２６は、ＰＩＮ変更専用のパスワードを充電台操作部２１から入力することによりＰＩＮ変更の処理を開始し、その後、充電台操作部２１から受け付けた新たなＰＩＮを充電台記憶部２３に登録する。また、携帯電話１にＰＩＮ変更専用のパスワードと新しいＰＩＮとが入力された状態の携帯電話１を充電台２に載置すると、充電台通信部２４は、そのＰＩＮ変更専用のパスワードと新しいＰＩＮを受信して充電台制御部２６に通知し、充電台制御部２６は、充電台通信部２４から通知されたＰＩＮ変更専用のパスワードが正しい場合にＰＩＮ変更の処理を開始し、その新しいＰＩＮを充電台記憶部２３に登録する。
【００８８】
この構成により、前記携帯通信端末による前記ＩＣチップへの電子バリューのチャージを許可するための識別情報を設定することができるため、識別情報を他人に特定される可能性が低くなり、非接触ＩＣチップ、または、非接触ＩＣチップを搭載した携帯電話などの携帯通信端末紛失時の安全性を向上することができる。
【産業上の利用可能性】
【００８９】
以上のように、本発明のリモートチャージシステム、そのシステムに用いる充電台、および、そのシステムに用いる携帯通信端末によれば、非接触ＩＣチップの電子バリューをリモートチャージする際の、システム利用者の利便性と、非接触ＩＣチップ、または、非接触ＩＣチップを搭載した携帯電話などの携帯通信端末紛失時の安全性と、を向上を図ることができるという効果を奏し、携帯通信端末を用いたリモートチャージシステムとして有用である。
【図面の簡単な説明】
【００９０】
【図１】本発明の第１実施形態のリモートチャージシステムの構成を示すブロック図
【図２】本発明の第１実施形態のリモートチャージシステムにおける、チャージ処理のフローチャート
【図３】本発明の第２実施形態のリモートチャージシステムにおける、チャージ処理のフローチャート
【図４】本発明の第２実施形態のリモートチャージシステムにおける、チャージ処理のフローチャート
【符号の説明】
【００９１】
１  携帯電話
１１  携帯電話操作部
１２  携帯電話表示部
１３  携帯電話無線部
１４  携帯電話記憶部
１５  携帯電話通信部
１６  携帯電話制御部
１７  充電池
１８  携帯電話側通信用インタフェース
１９  携帯電話側充電用インタフェース
２  充電台
２１  充電台操作部
２２  充電台表示部
２３  充電台記憶部
２４  充電台通信部
２５  接続検知部
２６  充電台制御部
２７  電源供給部
２８  充電台側通信用インタフェース
２９  充電台側充電用インタフェース
３  リモートチャージ用サーバ
３１  サーバ制御部
３２  サーバ通信部
３３  サーバ記憶部
４  非接触ＩＣチップ
４１  ＩＣ制御部
４２  ＩＣ記憶部
４３  ＩＣ無線部
【図１】
2006262107.tif 000003
【図２】
2006262107.tif 000004
【図３】
2006262107.tif 000005
【図４】
2006262107.tif 000006